(57)【要約】【課題】　表示画像の解像度を高め、表示装置の不良画素の影響を減少させる。【解決手段】　　画像１２を表示する方法であって、前記画像の画像データ１６を受け取るステップと、前記画像のフレーム２８を生成するステップを含む、前記画像の前記画像データをバッファするステップと、前記画像の前記フレームについての第１のサブフレーム３０１と少なくとも第２のサブフレーム３０２とを規定するステップと、前記第２のサブフレームの表示画像をシフトするステップを、前記第２のサブフレームを表示するステップと同期させるステップを含む、前記第１のサブフレームと前記第２のサブフレームを表示するステップとを有する方法。【選択図】　　　　図１
2004070365.tif 000002
【特許請求の範囲】
【請求項１】
　画像の画像データを受け取るステップと、
　前記画像のフレームを生成するステップを含む、前記画像の前記画像データをバッファするステップと、
　前記画像の前記フレームについての第１のサブフレームと少なくとも第２のサブフレームとを規定するステップと、
　前記第２のサブフレームの表示画像をシフトするステップを、前記第２のサブフレームを表示するステップと同期させるステップを含む、前記第１のサブフレームと前記第２のサブフレームを表示するステップと
　を有する画像を表示する方法。
【請求項２】
　前記第１のサブフレームと前記第２のサブフレームを表示するステップが、光を光変調器で変調し、前記第１のサブフレームによって第１の表示画像部分を生成し、前記第２のサブフレームによって第２の表示画像部分を生成するステップを有することを特徴とする請求項１に記載の方法。
【請求項３】
　前記第２のサブフレームの前記表示画像をシフトするステップが、前記光変調器を第１の位置と第２の位置の間で移動させるステップを有することを特徴とする請求項２に記載の方法。
【請求項４】
　前記第２のサブフレームの前記表示画像をシフトするステップが、光学要素を、光路内の前記光変調器の後に配置し、前記光学要素を、第１の位置と少なくとも第２の位置の間で移動させるステップを有することを特徴とする請求項２に記載の方法。
【請求項５】
　前記第１のサブフレームと前記第２のサブフレームを表示するステップが、さらに、投影光学系によって前記第１の表示画像部分と前記第２の表示画像部分を投影するステップを有することを特徴とする請求項２に記載の方法。
【請求項６】
　前記第２のサブフレームの前記表示画像をシフトするステップが、光学要素を、光路内の前記投影光学系の前と後の少なくとも一方に配置し、前記光学要素を、第１の位置と少なくとも第２の位置の間で移動させるステップを有することを特徴とする請求項５に記載の方法。
【請求項７】
　前記第２のサブフレームの前記表示画像が、光学要素を、前記投影光学系の第１の投影要素と前記投影光学系の第２の投影要素の間に配置し、前記光学要素を第１の位置と少なくとも第２の位置の間で移動させるステップを有することを特徴とする請求項５に記載の方法。
【請求項８】
　前記第２のサブフレームの前記表示画像をシフトするステップが、前記投影光学系の投影要素を、第１の位置と少なくとも第２の位置の間で移動させるステップを有することを特徴とする請求項５に記載の方法。
【請求項９】
　画像の画像データを受け取り、前記画像データをバッファして、前記画像のフレームを生成するようになされたバッファと、
　前記画像の前記フレームの第１のサブフレームと少なくとも第２のサブフレームを規定するようになされた画像処理ユニットと、
　前記第１のサブフレームと前記第２のサブフレームを表示し、前記第２のサブフレームの表示画像をシフトするようになされた表示装置と
　を備えてなり、
　前記第２のサブフレームの前記表示画像の前記シフトが、前記第２のサブフレームの表示と同期される、画像を表示するシステム。
【請求項１０】
　前記表示装置が、前記第２のサブフレームの前記表示画像をシフトするようになされた画像シフタを有することを特徴とする請求項９に記載のシステム。
【請求項１１】
　前記表示装置が、光を変調し、前記第１のサブフレームによって第１の表示画像部分を生成し、前記第２のサブフレームによって第２の表示画像部分を生成するようになされた光変調器を備えることを特徴とする請求項１０に記載のシステム。
【請求項１２】
　前記画像シフタが、前記光変調器を、第１の位置と少なくとも第２の位置と間で移動させて、前記第２のサブフレームの前記表示画像をシフトするようになされたことを特徴とする請求項１１に記載のシステム。
【請求項１３】
　前記画像シフタが、光路内の前記光変調器の後に配置された光学要素を含み、前記光学要素が、第１の位置と少なくとも第２の位置の間で移動して、前記第２のサブフレームの前記表示画像をシフトするようになされたことを特徴とする請求項１１に記載のシステム。
【請求項１４】
　前記表示装置が、さらに、前記第１の表示画像部分と前記第２の表示画像部分を投影するようになされた投影光学系を有することを特徴とする請求項１１に記載のシステム。
【請求項１５】
　前記画像シフタが、光路内の前記投影光学系の前と後の少なくとも一方に配置した光学要素を含み、前記光学要素が、第１の位置と少なくとも第２の位置の間で移動して、前記第２のサブフレームの前記表示画像をシフトするようになされたことを特徴とする請求項１４に記載のシステム。
【請求項１６】
　前記投影光学系が、第１の投影要素と第２の投影要素を含み、前記画像シフタが、前記第１の投影要素と前記第２の投影要素の間に配置された光学要素を含み、前記光学要素が、第１の位置と少なくとも第２の位置の間で移動して、前記第２のサブフレームの前記表示画像をシフトするようになされたことを特徴とする請求項１４に記載のシステム。
【請求項１７】
　前記画像シフタが、前記投影光学系の投影要素を有することを特徴とする請求項１４に記載のシステム。
【請求項１８】
　画像の画像データを受け取るステップと、
　前記画像データから前記画像のフレームを生成するステップと、
　前記画像の前記フレームの第１のサブフレームと少なくとも第２のサブフレームを規定するステップと、
　光変調器によって前記第１のサブフレームと前記第２のサブフレームを表示するステップと、
　前記光変調器をシフトして、前記第２のサブフレームの表示をシフトするステップと
　を有する光変調器によって画像を表示する方法。
【請求項１９】
　画像の前記フレームの第１のサブフレームと少なくとも第２のサブフレームを表示するようになされた光変調器と、
　光変調器を移動させ、前記第２のサブフレームの表示をシフトするようになされた画像シフタと
　を有する、画像のフレームを表示するシステム。
【発明の詳細な説明】
【技術分野】
【０００１】
　本発明は、一般に、画像化システムに関し、より詳細には、画像を表示するシステムおよび方法に関する。
【背景技術】
【０００２】
［関連出願の相互参照］
　本出願は、２００２年８月７日に出願され、本発明の譲受人に譲渡され、参照により本明細書に組み込まれた同時係属米国特許出願第１０／２１３，５５５号の一部継続出願である。本出願は、２００２年９月１１日に出願され、本発明の譲受人に譲渡された米国特許出願出願第１０／２４２１９５に関連する。
【０００３】
　表示装置、プロジェクタ、その他の画像化システムなど、画像を表示するための従来のシステムまたは装置は、横の行と縦の列で配置された個々の画素またはピクセルの配列をアドレス指定することによって表示画像を構成する。表示画像の解像度は、表示画像を構成する個々の画素の横の行と縦の列の数として定義される。表示画像の解像度は、表示装置自体の解像度と、表示装置によって処理され表示画像を構成するために使用される画像データの解像度による影響を受ける。
【０００４】
　一般に、表示画像の解像度を高めるには、表示装置の解像度と、表示画像を構成するために使用する画像データの解像度を高めなければならない。しかしながら、表示装置の解像度を高くすると、表示装置のコストと複雑さが増大する。さらに、高い解像度の画像データは、入手できなかったり生成が困難であったりする場合がある。
【０００５】
　残念ながら、表示装置の画素の１つまたは複数が不良である場合、表示画像はその不良を再現する。例えば、表示装置のある画素が「オン」状態だけを表す場合、画素は、表示画像内に中が全部白の正方形を生成する。さらに、表示装置の画素が「オフ」状態だけを表す場合、画素は、表示画像内に中が全部黒の正方形を生成する。このように、表示装置の不良画素の影響は、表示画像内に容易に見ることができる。
【発明の開示】
【発明が解決しようとする課題】
【０００６】
　したがって、表示画像を表示する表示装置の解像度を高めることなくおよび／または表示画像を生成するために使用される画像データの解像度を高めるかあるいは高めることなしに表示画像の解像度を高めおよび／または表示画像における表示装置の不良画素の影響を減少させることが必要である。
【課題を解決するための手段】
【０００７】
　本発明の１つの態様は、画像を表示する方法を提供する。この方法は、画像の画像データを受け取るステップと、画像のフレームを生成するステップを含む、画像の画像データをバッファするステップと、画像のフレームの第１のサブフレームと少なくとも第２のサブフレームを規定するステップと、第２のサブフレームの表示画像をシフトするステップを第２のサブフレームを表示するステップと同期させるステップを含む、第１のサブフレームと第２のサブフレームを表示するステップと含む。
【発明を実施するための最良の形態】
【０００８】
　好ましい実施形態の以下の詳細な説明において、実施形態の一部分を構成し、本発明を実施することができる例示的な特定の実施形態によって示された添付図面を参照する。他の実施形態を利用することができ、また本発明の範囲を逸脱することなく構造的または論理的変更を行うことができることを理解されたい。したがって、以下の詳細な説明は、限定の意味で解釈されるべきでなく、本発明の範囲は、併記の特許請求の範囲によって規定される。
【０００９】
　図１は、画像表示システム１０の一つの実施形態を示す。画像表示システム１０は、表示画像１４を生成する画像１２の処理を容易にする。画像１２は、任意の絵画、図形および／または文字、記号、イラストおよび／または他の情報表現を含むように定義される。画像１２は、例えば、画像データ１６によって表現される。画像データ１６は、画像１２の個々の画素またはピクセルを含む。画像表示システム１０が１つの画像を処理するように示し説明しているが、画像表示システム１０が、複数または一連の画像を処理し表示することができることを理解されたい。
【００１０】
　１つの実施形態において、画像表示システム１０は、フレーム・レート変換ユニット２０と画像フレーム・バッファ２２、画像処理ユニット２４、および表示装置２６を含む。後で説明するように、フレーム・レート変換ユニット２０と画像フレーム・バッファ２２は、画像１２の画像フレーム２８を生成するために、画像１２の画像データ１６を受け取りバッファする。さらに、画像処理ユニット２４は、画像フレーム２８を処理して、画像フレーム２８の１つまたは複数の画像サブフレーム３０を規定し、表示装置２６は、画像サブフレーム３０を時間的および空間的に表示して表示画像１４を生成する。
【００１１】
　フレーム・レート変換ユニット２０および／または画像処理装置２４を含む画像表示システム１０は、ハードウェア、ソフトウェア、ファームウェア、またはこれらの組合せを含む。１つの実施形態において、フレーム・レート変換ユニット２０および／または画像処理ユニット２４を含む画像表示システム１０の１つまたは複数の構成要素は、一連の論理演算を実行することができるコンピュータ、コンピュータ・サーバまたは他のマイクロプロセッサ・ベース・システムに含まれている。さらに、個別の部分が別々のシステム構成要素内に実装される状態で、システム全体に処理を分散させることができる。
【００１２】
　画像データ１６は、ディジタル画像データ１６１またはアナログ画像データ１６２を含むことができる。アナログ画像データ１６２を処理するために、画像表示システム１０は、アナログ・ディジタル（Ａ／Ｄ）変換器３２を含む。したがって、Ａ／Ｄ変換器３２は、次の処理のためにアナログ画像データ１６２をディジタル形式に変換する。このように、画像表示システム１０は、画像１２のためのディジタル画像データ１６１および／またはアナログ画像データ１６２を受け取り処理することができる。
【００１３】
　フレーム・レート変換ユニット２０は、画像１２の画像データ１６を受け取り、その画像データ１６を画像フレーム・バッファ２２にバッファするかまたは記憶する。より具体的には、フレーム・レート変換ユニット２０は、画像１２の個別のラインまたはフィールドを表す画像データ１６を受け取り、画像データ１６を画像フレーム・バッファ２２にバッファして、画像１２の画像フレーム２８を生成する。画像フレーム・バッファ２２は、画像フレーム２８のすべての画像データを受け取り記憶することによって画像データ１６をバッファし、フレーム・レート変換ユニット２０は、画像フレーム・バッファ２２から画像フレーム２８のすべての画像データを取り出しまたは抽出することによって画像フレーム２８を生成する。したがって、画像フレーム２８は、画像１２の全体を表す画像データ１６の複数の個別のラインまたはフィールドを含むように規定される。したがって、画像フレーム２８は、画像１２を表す個々の画素の複数の列と複数の行を含む。
【００１４】
　フレーム・レート変換ユニット２０と画像フレーム・バッファ２２は、画像データ１６を、プログレッシブ画像データおよび／またはインタレース画像データとして受け取り処理することができる。プログレッシブ画像データの場合、フレーム・レート変換ユニット２０と画像フレーム・バッファ２２は、画像１２の画像データ１６の連続したフィールドを受け取り記憶する。したがって、フレーム・レート変換ユニット２０は、画像１２の画像データ１６の連続したフィールドを取り出すことによって画像フレーム２８を生成する。インタレース画像データの場合、フレーム・レート変換ユニット２０と画像フレーム・バッファ２２は、画像１２の画像データ１６の奇数フィールドと偶数フィールドを受け取り記憶する。例えば、画像データ１６のすべての奇数フィールドが受け取られ記憶され、画像データ１６のすべての偶数フィールドが受け取られ記憶される。したがって、フレーム・レート変換ユニット２０は、画像データ１６をデインターレースし、画像１２の画像データ１６の奇数フィールドと偶数フィールドを取り出すことによって画像フレーム２８を生成する。
【００１５】
　画像フレーム・バッファ２２は、それぞれの画像１２の１つまたは複数の画像フレーム２８の画像データ１６を記憶するメモリを含む。したがって、画像フレーム・バッファ２２は、１つまたは複数の画像フレーム２８のデータベースを構成する。画像フレーム・バッファ２２の例には、不揮発性記憶装置（例えば、ハード・ディスク・ドライブや他の持続性記憶装置）があり、また揮発性記憶装置（例えば、ランダム・アクセス・メモリ（ＲＡＭ））がある。
【００１６】
　フレーム・レート変換ユニット２０で画像データ１６を受け取り、画像データ１６を画像フレーム・バッファ２２にバッファすることによって、表示装置２６のタイミング要件と画像データ１６の入力タイミングを切り離すことができる。より具体的には、画像フレーム・バッファ２２が、画像フレーム２８の画像データ１６を受け取り記憶するので、画像データ１６を、任意のフレーム・レートの入力として受け取ることができる。したがって、画像フレーム２８のフレーム・レートを、表示装置２６のタイミング要件に変換することができる。したがって、画像フレーム２８の画像データ１６を、表示装置２６のフレーム・レートで画像フレーム・バッファ２２から取り出すことができる。
【００１７】
　１つの実施形態において、画像処理ユニット２４は、解像度調整ユニット３４とサブフレーム生成ユニット３６を含む。後で説明するように、解像度調整ユニット３４は、画像フレーム２８の画像データ１６を受け取り、表示装置２６に表示する画像データ１６の解像度を調整し、サブフレーム生成ユニット３６は、画像フレーム２８の複数の画像サブフレーム３０を生成する。より具体的には、画像処理ユニット２４は、画像フレーム２８の画像データ１６をオリジナルの解像度で受け取り、画像データ１６を表示装置２６の解像度と一致するように処理する。例えば、画像処理ユニット２４は、画像データ１６の解像度を、表示装置２６の解像度と一致するように高くし、低くし、および／または変更せずにおく。したがって、画像データ１６の解像度を表示装置２６の解像度と一致させることによって、表示装置２６は、画像データ１６を表示することができる。したがって、画像処理ユニット２４によって、画像表示システム１０は、様々な解像度の画像データ１６を受け取り表示することができる。
【００１８】
　１つの実施形態において、画像処理ユニット２４は、画像データ１６の解像度を高める。例えば、画像データ１６は、解像度が表示装置２６よりも低い。より具体的には、画像データ１６は、４００画素×３００画素などの低い解像度データを含むことがあり、表示装置２６は、８００画素×６００画素などの高い解像度データに対応することができる。したがって、画像処理ユニット２４は、画像データ１６を処理して、画像データ１６の解像度を表示装置２６の解像度まで高める。画像処理ユニット２４は、例えば画素の複製、補間および／または他の解像度合成または生成技術によって、画像データ１６の解像度を高めることができる。
【００１９】
　１つの実施形態において、画像処理ユニット２４は、画像データ１６の解像度を下げる。例えば、画像データ１６は、表示装置２６の解像度よりも高い解像度である。より具体的には、画像データ１６は、１６００画素×１２００画素などの高い解像度のデータを含むことがあり、表示装置２６は、８００画素×６００画素などの低い解像度データに対応することができる。したがって、画像処理ユニット２４は、画像データ１６を処理して、画像データ１６の解像度を表示装置２６の解像度まで下げる。画像処理ユニット２４は、例えば二段抽出、補間および／または他の解像度低減技術によって、画像データ１６の解像度を下げることができる。
【００２０】
　サブフレーム生成ユニット３６は、画像フレーム２８の画像データ１６を受け取り処理して、画像フレーム２８の複数の画像サブフレーム３０を規定する。解像度調整ユニット３４が、画像データ１６の解像度を調整した場合、サブフレーム生成ユニット３６は、調整した解像度の画像データ１６を受け取る。画像データ１６の調整した解像度は、画像フレーム２８の画像データ１６の元の解像度より高くても、低くても、同じでもよい。サブフレーム生成ユニット３６は、表示装置２６の解像度と一致する解像度を有する画像サブフレーム３０を生成する。画像サブフレーム３０は、画像フレーム２８とそれぞれ等しい面積であり、それぞれ画像１２の画像データ１６のサブセットを表す個々の画素の複数の列と複数の行を含み、表示装置２６の解像度と一致する解像度を有する。
【００２１】
　各画像サブフレーム３０は、画像フレーム２８の画素のマトリクスまたは配列を含む。画像サブフレーム３０は、各画像サブフレーム３０が異なる画素および／または画素部分を含むように互いに空間的にオフセットされている。したがって、後で説明するように、画像サブフレーム３０は、ある垂直距離および／または水平距離だけ互いにオフセットされている。
【００２２】
　表示装置２６は、画像処理ユニット２４から画像サブフレーム３０を受け取り、画像サブフレーム３０を連続的に表示して表示画像１４を生成する。より具体的には、画像サブフレーム３０が、空間的に互いにオフセットされているので、画像表示装置２６は、画像サブフレーム３０を、後で示すように、画像サブフレーム３０の空間的オフセットによる様々な位置に表示する。したがって、表示装置２６は、画像フレーム２８の画像サブフレーム３０の表示を交互に行って、表示画像１４を生成する。このように、表示装置２６は、画像フレーム２８の全体のサブフレーム３０を一度に表示する。
【００２３】
　１つの実施形態において、表示装置２６は、画像フレーム２８の画像サブフレーム３０を表示する１サイクルを完了する。したがって、表示装置２６は、画像サブフレーム３０を、空間的かつ時間的に互いにオフセットされるように表示する。１つの実施形態において、表示装置２６は、画像サブフレーム３０を光学的に操作して表示画像１４を生成する。こうして、表示装置２６の個々の画素は、複数の位置にアドレス指定される。
【００２４】
　１つの実施形態において、表示装置２６は、画像シフタ３８を含む。画像シフタ３８は、画像サブフレーム３０の位置を、表示装置２６によって表示されるように空間的に変化させまたはオフセットする。より具体的には、画像シフタ３８は、後で説明するように画像サブフレーム３０の表示位置を変化させて、表示画像１４を生成する。
【００２５】
　１つの実施形態において、表示装置２６は、入射光を変調する光変調器を含む。光変調器は、例えば、マイクロミラー装置のアレイを構成するように配列された複数のマイクロミラー装置を含む。それぞれのマイクロミラー装置自体は、表示装置２６の１つのセルまたは画素を構成する。表示装置２６は、表示装置、投影装置、または他の画像化システムの一部分を構成することができる。
【００２６】
　１つの実施形態において、画像表示システム１０は、タイミング発生器４０を含む。タイミング発生器４０は、例えば、フレーム・レート変換ユニット２０、解像度調整ユニット３４とサブフレーム生成ユニット３６を含む画像処理ユニット２４、および画像シフタ３８を含む表示装置２６と通信する。したがって、タイミング発生器４０は、画像フレーム２８を生成する画像データ１６のバッファおよび変換と、画像データ１６の解像度を表示装置２６の解像度に合わせかつ画像サブフレーム３０を生成する画像フレーム２８の処理と、表示画像１４を生成する画像サブフレーム３０の表示および位置決めとを同期させる。したがって、タイミング発生器４０は、画像１２のサブフレーム全体が、表示装置２６によって表示画像１４として時間的かつ空間的に表示されるように、表示画像システム１０のタイミングを制御する。
【００２７】
［解像度の向上］
　１つの実施形態において、図２Ａと図２Ｂに示したように、画像処理ユニット２４は、画像フレーム２８の複数の画像サブフレーム３０を規定する。より具体的には、画像処理ユニット２４は、画像フレーム２８の第１のサブフレーム３０１と第２のサブフレーム３０２を規定する。したがって、第１のサブフレーム３０１と第２のサブフレーム３０２はそれぞれ、画像データ１６の個々の画素１８の複数の列と複数の行を含む。したがって、第１のサブフレーム３０１と第２のサブフレーム３０２はそれぞれ、画像データ１６のサブセットの画像データ・アレイまたは画素マトリクスを構成する。
【００２８】
　１つの実施形態において、図２Ｂに示したように、第２のサブフレーム３０２は、第１のサブフレーム３０１から垂直距離５０と水平距離５２だけずらされている。したがって、第２のサブフレーム３０２は、第１のサブフレーム３０１から所定の距離だけ空間的にずらされている。１つの実例となる実施形態において、垂直距離５０と水平距離５２はそれぞれ、１画素の約半分である。
【００２９】
　図２Ｃに示したように、表示装置２６は、交互に、第１のサブフレーム３０１を第１の位置に表示し、第２のサブフレーム３０２を第１の位置から空間的にオフセットされた第２の位置に表示する。より具体的には、表示装置２６は、第２のサブフレーム３０２の表示を、第１のサブフレーム３０１の表示に対して垂直距離５０と水平距離５２だけずらす。したがって、第１のサブフレーム３０１の画素は、第２のサブフレーム３０２の画素と重なっている。１つの実施形態において、表示装置２６は、画像フレーム２８の第１のサブフレーム３０１を第１の位置に表示し、第２のサブフレーム３０２を第２の位置に表示する１つのサイクルを完了する。こうして、第２のサブフレーム３０２が、第１のサブフレーム３０１に対して空間的かつ時間的に表示される。
【００３０】
　図３Ａ〜図３Ｃは、第１のサブフレーム３０１からの画素１８１を第１の位置に表示し、第２のサブフレーム３０２からの画素１８２を第２の位置の表示する１つのサイクルを完了する１つの実施形態を示す。より具体的には、図３Ａは、第１の位置に表示された第１のサブフレーム３０１からの画素１８１を示す、図３Ｂは、第２の位置（第１の位置が点線で示された）に表示された第２のサブフレーム３０２からの画素１８２を示し、図３Ｃは、第１の位置（第２の位置が点線で示された）に表示された第１のサブフレーム３０１からの画素１８１を示す。
【００３１】
　図４と図５は、それぞれ画像表示システム１０による画像処理を行った場合と行わない場合の、同じ画像データから生成された拡大画像部分を示す。より具体的には、図４は、画像表示システム１０による処理なしに生成された拡大画像部分６０を示す。図４に示したように、拡大画像部分６０は、個々の画素が容易に目に見える状態に分解されているように見える。さらに、拡大画像部分６０は、低い解像度のものである。
【００３２】
　一方、図５は、画像表示システム１０による処理によって生成された拡大画像部分６２を示す。図５に示したように、拡大画像部分６２は、図４の拡大画像部分６０と同じように画素に分解（pixelate）されていないように見える。したがって、拡大画像部分６２の画像品質は、画像表示システム１０によって高められている。より具体的には、拡大画像部分６２の解像度は、拡大画像部分６０よりも改善され、あるいは高められている。
【００３３】
　１つの実例となる実施形態において、拡大画像部分６２は、前述のように、第１のサブフレームと第２のサブフレームを含む２位置処理（ｔｗｏ−ｐｏｓｉｔｉｏｎ　ｐｒｏｃｅｓｓｉｎｇ）によって生成される。したがって、拡大画像部分６２を生成するには、拡大画像部分６０を生成するために使用される画素データの量の２倍の量の画素データが使用される。したがって、２位置処理の場合、拡大画像部分６２の解像度は、約１．４倍すなわち２の平方根だけ拡大画像部分６０の解像度よりも高められる。
【００３４】
　もう１つの実施形態において、図６Ａ〜図６Ｄに示したように、画像処理ユニット２４は、画像フレーム２８の複数の画像サブフレーム３０を規定する。より具体的には、画像処理ユニット２４は、画像フレーム２８の第１のサブフレーム３０１、第２のサブフレーム３０２、第３のサブフレーム３０３、および第４のサブフレーム３０４を規定する。したがって、第１のサブフレーム３０１、第２のサブフレーム３０２、第３のサブフレーム３０３、および第４のサブフレーム３０４はそれぞれ、画像データ１６の個々の画素１８の複数の列と複数の行を含む。
【００３５】
　１つの実施形態において、図６Ｂ〜図６Ｄに示したように、第２のサブフレーム３０２は、第１のサブフレーム３０１から垂直距離５０と水平距離５２だけオフセットされ、第３のサブフレーム３０３は、第１のサブフレーム３０１から水平距離５４だけオフセットされ、第４のサブフレーム３０４は、第１のサブフレーム３０１から垂直距離５６だけオフセットされている。したがって、第２のサブフレーム３０２、第３のサブフレーム３０３、および第４のサブフレーム３０４はそれぞれ、互いに空間的にオフセットされ、第１のサブフレーム３０１から所定の距離だけ空間的にオフセットされている。１つの実例となる実施形態において、垂直距離５０、水平距離５２、水平距離５４および垂直距離５６は、それぞれ１画素の約半分である。
【００３６】
　図６Ｅに概略的に示したように、表示装置２６は、交互に、第１のサブフレーム３０１を第１の位置Ｐ1に表示し、第２のサブフレーム３０２を第１の位置から空間的にオフセットされた第２の位置Ｐ2に表示し、第３のサブフレーム３０３を第１の位置から空間的にオフセットされた第３の位置Ｐ3に表示し、第４のサブフレーム３０４を第１の位置から空間的にオフセットされた第４の位置Ｐ4に表示する。より具体的には、表示装置２６は、第２のサブフレーム３０２、第３のサブフレーム３０３、および第４のサブフレーム３０４の表示を、第１のサブフレーム３０１に対してそれぞれ所定の距離だけずらす。したがって、第１のサブフレーム３０１、第２のサブフレーム３０２、第３のサブフレーム３０３、および第４のサブフレーム３０４の画素は互いに重なる。
【００３７】
　１つの実施形態において、表示装置２６は、画像フレーム２８の第１のサブフレーム３０１を第１の位置に表示し、第２のサブフレーム３０２を第２の位置に表示し、第３のサブフレーム３０３を第３の位置に表示し、第４のサブフレーム３０４を第４の位置に表示する１つのサイクルを完了する。こうして、第２のサブフレーム３０２、第３のサブフレーム３０３、および第４のサブフレーム３０４が、互いに対して、かつ、第１のサブフレーム３０１に対して、空間的かつ時間的に表示される。
【００３８】
　図７Ａ〜図７Ｅは、第１のサブフレーム３０１からの画素１８１を第１の位置に表示し、第２のサブフレーム３０２からの画素１８２を第２の位置に表示し、第３サブフレーム３０３からの画素１８３を第３の位置に表示し、第４のサブフレーム３０４からの画素１８４を第４の位置に表示する１つのサイクルを完了する１つの実施形態を示す。より具体的には、図７Ａは、第１の位置に表示された第１のサブフレーム３０１からの画素１８１を示し、図７Ｂは、第２の位置（第１の位置が点線で示されている）に表示された第２のサブフレーム３０２からの画素１８２を示し、図７Ｃは、第３の位置（第１の位置と第２の位置が点線で示された）に表示された第３のサブフレーム３０３からの画素１８３を示し、図７Ｄは、第４の位置（第１の位置、第２の位置および第３の位置が点線で示された）に表示された第４のサブフレーム３０４からの画素１８４を示し、図７Ｅは、第１の位置（第２の位置、第３の位置および第４の位置が点線で示された）に表示された第１のサブフレーム３０１からの画素１８１を示す。
【００３９】
　図８と図９は、それぞれ画像表示システム１０による画像処理を行う場合と行わない場合の、同じ画像データから生成した拡大画像部分を示す。より具体的には、図８は、画像表示システム１０による処理なしに生成された拡大画像部分６４を示す。図８に示したように、拡大画像部分６４の領域は、例えば拡大画像部分６４の文字を形成しおよび／または輪郭を描く画素を含む個々の画素が容易に目に見える状態に分解されているように見える。
【００４０】
　しかしながら、図９は、画像表示システム１０による処理によって生成された拡大画像部分６６を示す。図９に示したように、拡大画像部分６６は、図８の拡大画像部分６４よりも画素に分解されていないように見える。このように、拡大画像部分６６の画像品質は、画像表示システム１０によって高められている。より具体的には、拡大画像部分６６の解像度は、拡大画像部分６４よりも改善され、あるいは高められている。
【００４１】
　１つの実例となる実施形態において、前述のように、拡大画像部分６６は、第１のサブフレーム、第２のサブフレーム、第３のサブフレームおよび第４のサブフレームを含む４位置処理（ｆｏｕｒ−ｐｏｓｉｔｉｏｎ　ｐｒｏｃｅｓｓｉｎｇ）によって生成される。したがって、拡大画像部分６６を生成するためには、拡大画像部分６４を生成するのに使用される画素データの量の４倍の量の画素データが使用される。したがって、４位置処理によって、拡大画像部分６４の解像度は、拡大画像部分６４の解像度の２倍すなわち４の平方根だけ高められる。したがって、４位置処理によって、各軸（ｘとｙ）方向の画素数を２倍にすると画素数が４倍になるので、表示装置２６の２倍の解像度で画像データ１６を表示することができる。
【００４２】
　画像フレーム２８の複数の画像サブフレーム３０を規定し、画像サブフレーム３０を、互いに対して、空間的かつ時間的に表示させることによって、画像表示システム１０は、表示装置２６よりも高い解像度で表示画像１４を生成することができる。１つの実例となる実施形態において、例えば、画像データ１６が８００画素×６００画素の解像度を有し、表示装置２６が８００画素×６００画素の解像度を有する場合、画像データ１６の解像度を調整する画像表示システム１０の４位置処理によって、１６００画素×１２００画素の解像度の表示画像１４が生成される。したがって、画像データの解像度が低くまた表示装置の解像度が低い場合に、画像表示システム１０は、それよりも高い解像度の表示画像を生成することができる。もう１つの実例となる実施形態において、例えば、画像データ１６が１６００画素×１２００画素の解像度を有し、表示装置２６が８００画素×６００画素の解像度を有する場合、画像データ１６の解像度を調整しない画像表示システム１０による４位置処理によって、１６００画素×１２００画素の解像度の表示画像１４が生成される。したがって、高い解像度の画像データと低い解像度の表示装置の場合、画像表示システム１０は、それよりも高い解像度の表示画像を生成することができる。さらに、画像サブフレーム３０を互いに空間的かつ時間的に表示させながら画像サブフレーム３０の画素を重ねることによって、画像表示システム１０は、例えば光変調器の隣り合ったマイクロミラー装置間の隙間によって起こる「網戸（ｓｃｒｅｅｎ−ｄｏｏｒ）」効果を減少させることができる。
【００４３】
　画像表示システム１０は、画像データ１６をバッファして、画像フレーム２８を生成し、画像データ１６のタイミングを表示装置２６のフレーム・レートと切り離し、画像フレーム２８のサブフレーム３０全体を１度に表示することによって、画像全体に渡って解像度が改善された表示画像１４を生成することができる。さらに、画像データの解像度が、表示装置２６の解像度と等しいかまたはそれよりも高い場合、画像表示システム１０は、表示装置２６の解像度よりも高い解像度の表示画像１４を生成することができる。表示装置２６よりも高い解像度の表示画像１４を生成するために、より高い解像度のデータを、元の画像データとして画像表示システム１０に供給してもよく、元の画像データから画像表示システム１０が合成してもよい。代替として、低い解像度のデータを画像表示システム１０に供給し、そのデータを使用して表示装置２６の解像度よりも高い解像度の表示画像１４を生成することができる。低い解像度のデータを使用することにより、画像を低いデータ転送速度で送ることができ、同時にデータを高い解像度で表示することができる。したがって、低いデータ転送速度を使用することによって、より低速のデータ・インタフェースが使用可能になり、ＥＭＩ放射を少なくできる可能性がある。
【００４４】
［エラー隠蔽（Ｅｒｒｏｒ　Ｈｉｄｉｎｇ）］
　１つの実施形態において、図１０に示したように、表示装置２６は、表示画素７０の複数の列と複数の行を含む。表示画素７０は、画像フレーム２８の画像サブフレーム３０を表示し表示画像１４を生成する光を変調する。各表示画素７０は、３つの色要素をすべて、すなわち赤、緑、青を含むことができる。その場合、表示装置２６の各表示画素７０は、全範囲の表示色を生成することができる。
【００４５】
　１つの実例となる実施形態において、表示装置２６は、配列６ｘ６の表示画素７０を含む。表示画素７０は、例えば行（Ａ〜Ｆ）と列（１〜６）によって示される。表示装置２６は、配列６ｘ６の表示画素を含むように示されているが、表示装置２６内の表示画素７０の実際の数は変化してもよいことを理解されたい。
【００４６】
　１つの実施形態において、表示装置２６の１つまたは複数の表示画素７０が不良のことがある。１つの実施形態において、位置Ｃ３の表示画素７０が、不良表示画素７２である。不良表示画素は、「オン」または「オフ」状態だけを示す表示画素、意図された輝度よりも弱い輝度または強い輝度を生成する表示画素、一貫性がないかまたは不規則な動作の表示画素など、表示装置２６の異常または無効な表示画素を含むように規定される。
【００４７】
　１つの実施形態において、画像表示システム１０は、表示装置２６の不良表示画素の影響を拡散させる。後で説明するように、画像表示システム１０は、表示画像１４の表示装置２６の不良表示画素によって生成される領域を分離または分散することによって、不良表示画素の影響を拡散させる。
【００４８】
　図１１は、画像１２の画像フレーム２８の１つの実施形態を示す。前述のように、画像１２の画像データ１６がバッファされ、画像フレーム２８が、画像データ１６の個々の画素１８の複数の列と複数の行を含むように生成される。１つの実例となる実施形態において、画像フレーム２８は、画素１８の４ｘ４の配列を含む。画像データ１６の画素１８は、例えば、ローマ数字Ｉ−ＸＶＩによって示される。
【００４９】
　１つの実施形態において、図１２Ａ〜図１２Ｄに示したように、画像処理ユニット２４は、画像フレーム２８の複数の画像サブフレーム３０’（図１）を規定する。より具体的には、画像処理ユニット２４は、画像フレーム２８の第１の画像サブフレーム３０１’、第２の画像サブフレーム３０２’、第３の画像サブフレーム３０３’、および第４の画像サブフレーム３０４’を規定する。第１の画像サブフレーム３０１’、第２の画像サブフレーム３０２’、第３の画像サブフレーム３０３’、および第４の画像サブフレーム３０４’はそれぞれ、画像フレーム２８の画像データ１６を含み、また１つの実施形態において、それぞれの面積は、表示装置２６の面積と等しい。したがって、後で説明するように、各画像サブフレーム３０’の左上が、表示装置２６（図１０）の表示画素Ａ１に索引付けされるかまたはマップされる。
【００５０】
　１つの実施形態において、画像データ１６は、表示装置２６の面積よりも小さい面積のものである。したがって、後で説明するように、画像データ１６を表示装置２６の表示画素７０間でシフトして、不良表示画素の影響を拡散させることができる。したがって、画像データ１６の外にある表示画素７０は、ブランク表示画素７４として示される（図１３Ａ）。
【００５１】
　１つの実施形態において、画像処理ユニット２４は、サイズが表示装置２６よりも小さくなるように画像データ１６を縮小する。１つの実施形態において、表示装置２６は、画像データ１６の標準サイズよりも大きいサイズである。例えば、１つの実例となる実施形態において、表示装置２６は、６００画素×８００画素の標準サイズの画像データ１６に対応できるように、６０２画素×８０２画素のサイズを有する。
【００５２】
　１つの実施形態において、図１２Ｂ〜図１２Ｄに示したように、第２の画像サブフレーム３０２’の画像データ１６は、第１の画像サブフレーム３０１’の画像データ１６から水平距離５２だけオフセットされ、第３の画像サブフレーム３０３’の画像データ１６は、第２の画像サブフレーム３０２’の画像データ１６から垂直距離５０だけオフセットされ、第４の画像サブフレーム３０４’の画像データ１６は、第３の画像サブフレーム３０３’の画像データ１６から水平距離５４だけオフセットされている。したがって、第１の画像サブフレーム３０１’の画像データ１６、第２の画像サブフレーム３０２’の画像データ１６、第３の画像サブフレーム３０３’の画像データ１６、および第４の画像サブフレーム３０４’の画像データ１６は、所定の距離だけ互いに空間的にオフセットされている。１つの実施形態において、所定の距離はｎ個の画素を含み、ここで、ｎは整数である。１つの実例となる実施形態において、図１２Ｂ〜図１２Ｄに示したように、水平距離５２、垂直距離５０および水平距離５４はそれぞれ１画素である。
【００５３】
　１つの実施形態において、図１３Ａ〜図１３Ｄに示したように、表示装置２６は、画像フレーム２８の第１の画像サブフレーム３０１’、第２の画像サブフレーム３０２’、第３の画像サブフレーム３０３’および第４の画像サブフレーム３０４’を交互に表示する。１つの実施形態において、第１の画像サブフレーム３０１’、第２の画像サブフレーム３０２’、第３の画像サブフレーム３０３’、および第４の画像サブフレーム３０４’はそれぞれ、各画像サブフレーム３０’の左上が表示装置２６の表示画素Ａ１にマップされるように、表示装置２６によって表示される。しかしながら、画像データ１６が、第２の画像サブフレーム３０２’、第３の画像サブフレーム３０３’および第４の画像サブフレーム３０４’のそれぞれにおいて、第１の画像サブフレーム３０１’に対してオフセットしている場合、表示装置２６の異なる表示画素７０が、第１の画像サブフレーム３０１’、第２の画像サブフレーム３０２’、第３の画像サブフレーム３０３’、および第４の画像サブフレーム３０４’の画像データ１６を表示する。
【００５４】
　例えば、図１３Ａに示したように、表示画像部分１４１として、表示画素Ｂ２〜Ｅ５が、第１の画像サブフレーム３０１’の表示画像データ１６を表示する。しかしながら、位置Ｃ３の表示画素７０が不良表示画素なので、画像フレーム２８の第１の画像サブフレーム３０１’に表示されたときの画像データ１６の画素ＶＩが不良である。
【００５５】
　図１３Ｂに示したように、表示画像部分１４２として、表示画素Ｂ１〜Ｅ４が、第２の画像サブフレーム３０２’の画像データ１６を表示する。しかしながら、位置Ｃ３の表示画素７０が不良表示画素なので、画像フレーム２８の第２の画像サブフレーム３０２’に表示されたときの画像データ１６の画素ＶＩＩが不良である。
【００５６】
　図１３Ｃに示したように、表示画像部分１４３として、表示画素Ａ１〜Ｄ４が、第３の画像サブフレーム３０３’の画像データ１６を表示する。しかしながら、位置Ｃ３の表示画素７０が不良表示画素なので、画像フレーム２８の第３の画像サブフレーム３０３’に表示されたときの画像データ１６の画素ＸＩが不良である。
【００５７】
　図１３Ｄに示したように、表示画像部分１４４として、表示画素Ａ２〜Ｄ５が、第４の画像サブフレーム３０４’の画像データ１６を表示する。しかしながら、位置Ｃ３の表示画素７０が不良表示画素なので、画像フレーム２８の第４の画像サブフレーム３０４’に表示されたときの画像データ１６の画素Ｘが不良である。
【００５８】
　１つの実施形態において、図１４Ａ〜図１４Ｄに示したように、表示装置２６は、表示画像部分１４１、１４２、１４３および１４４を同じ表示位置に表示する。より具体的には、表示装置２６は、表示画像部分１４２、１４３および１４４の表示を、表示位置ａｉ〜ｄｉｖの表示画像部分１４１の表示と一致するようにシフトする。したがって、表示装置２６は、表示画像部分１４１、１４２、１４３および１４４を位置ａｉ〜ｄｉｖに表示する。
【００５９】
　表示画像部分１４１の画素ＶＩが、不良表示画素によって生成されるので、表示画像部分１４１の表示位置ｂｉｉの画素が不良である。さらに、表示画像部分１４２の画素ＶＩＩが、不良表示画素によって生成されるので、表示画像部分１４２の表示位置ｂｉｉｉの画素が不良である。さらに、表示画像部分１４３の画素ＸＩが、不良表示画素によって生成されるので、表示画像部分１４３の表示位置ｃｉｉｉの画素が不良である。さらに、表示画像部分１４４の画素Ｘが、欠陥表示画素によって生成されるので、表示画像部分１４４の表示位置ｃｉｉの画素が不良である。
【００６０】
　１つの実施形態において、図１４Ｅに示したように、画像サブフレーム３０１’、３０２’３０３’および３０４’から生成された表示画像部分１４１、１４２、１４３および１４４はそれぞれ、それぞれの画像サブフレーム３０’のオフセット距離にしたがってシフトされる。より具体的には、表示画像部分１４２、１４３および１４４はそれぞれ、画像サブフレーム３０２’、３０３’および３０４’の画像データ１６がそれぞれ互いに対してオフセットされる方向と反対の方向にシフトされる。
【００６１】
　例えば、１つの実施形態において、画像サブフレーム３０２’の画像データ１６は、画像サブフレーム３０１’の画像データ１６に対して左に（図１２Ｂに示したように）シフトされる。したがって、表示画像部分１４２は、位置Ａから位置Ｂに右にずらされる。さらに、画像サブフレーム３０３’の画像データ１６は、画像サブフレーム３０２’の画像データ１６に対して上に（図１２Ｃに示したように）シフトされる。したがって、表示画像部分１４３は、位置Ｂから位置Ｃに下にシフトされる。さらに、画像サブフレーム３０４’の画像データ１６は、画像サブフレーム３０３’の画像データ１６に対して右に（図１２Ｄに示したように）シフトされる。そのように、表示画像部分１４４は、位置Ｃから位置Ｄに左にシフトされる。したがって、画像１２の画像フレーム２８の各画像サブフレーム３０’の画像データ１６の画素Ｉ〜ＸＶＩは、同じ表示位置、すなわち図１４Ａ〜図１４Ｄに示したような表示位置ａｉ〜ｄｉｖに表示される。
【００６２】
　１つの実施形態において、表示装置２６の画像シフタ３８（図１）は、前述のように画像サブフレーム３０’の表示をずらす。より具体的には、画像シフタ３８は、表示画像部分１４２、１４３および１４４を表示画像部分１４１と位置合わせするために、第２の画像サブフレーム３０２’、第３の画像サブフレーム３０３’および第４の画像サブフレーム３０４’の表示を第１の画像サブフレーム３０１’の表示位置にずらす。したがって、画像サブフレーム３０’内の画像データが適切に位置合わせされる。
【００６３】
　図１５に示したように、表示画像部分１４１、１４２、１４３および１４４はそれぞれ、表示画像１４に寄与する。したがって、各画像サブフレーム３０１’、３０２’、３０３’および３０４’の画像データ１６の画素Ｉ〜ＸＶＩは、表示位置ａｉ〜ｄｉｖに寄与する。したがって、各表示位置ａｉ〜ｄｖｉは、画像データ１６の対応する画素を表示する。例えば、表示位置ａｉは、ＩA＋ＩB＋ＩC＋ＩDによって表されているように、画像サブフレーム３０１’、３０２’、３０３’および３０４’の画像データ１６の画素Ｉを表示し、ここで、ＩAは、画像サブフレーム３０１’の画像データ１６の画素Ｉを表し、ＩBは、画像サブフレーム３０２’の画像データ１６の画素Ｉを表し、ＩCは、画像サブフレーム３０３’の画像データ１６の画素Ｉを表し、ＩDは、画像サブフレーム３０４’の画像データ１６の画素Ｉを表す。
【００６４】
　位置Ｃ３の表示画素７０が不良表示画素なので、第１の画像サブフレーム３０１’の画像データ１６の画素ＶＩが不良であり、第２の画像サブフレーム３０２’の画像データ１６の画素ＶＩＩが不良であり、第３の画像サブフレーム３０３’の画像データ１６の画素ＸＩが不良であり、第４の画像サブフレーム３０４’の画像データ１６の画素Ｘが不良である（図１４Ａ〜図１４Ｄ）。そのように、表示位置ｂｉｉは、ＤA＋ＶＩB＋ＶＩC＋ＶＩDによって表され、表示位置ｂｉｉｉは、ＶＩＩA＋ＤB＋ＶＩＩC＋ＶＩＩDによって表され、表示位置ｃｉｉｉは、ＸＩA＋ＸＩB＋ＤC＋ＸＩDによって表され、表示位置ｃｉｉは、ＸA＋ＸB＋ＸC＋ＤDによって表され、ここで、ＤA、ＤB、ＤCおよびＤDは、それぞれ、第１の画像サブフレーム３０１’、第２の画像サブフレーム３０２’、第３の画像サブフレーム３０３’、および第４の画像サブフレーム３０４’からの不良画素を表す。したがって、表示装置２６の位置Ｃ３の不良表示画素７２は、表示位置ｂｉｉ、ｂｉｉｉ、ｃｉｉｉおよびｃｉｉの表示画像１４の各画素ごとに４つの画素のうちの１つに寄与する。したがって、１つの実施形態において、表示画像の画素への不良表示画素の寄与は、１／Ｄになるように分散または拡散され、ここで、Ｄは、不良表示画素と接している表示画素の数である。
【００６５】
　表示位置ａｉ〜ｄｖｉのそれぞれの表示画像１４の画素が、表示装置２６の４つの個別の表示画素７０（例えば、ＩA＋ＩB＋ＩC＋ＩD）によって生成されるので、表示画像１４の画素は、４つの独立した表示画素を平均したものに見える。したがって、表示画像１４の各画素の明るさまたは輝度は、４つの個別の表示画素の平均の明るさまたは輝度を含む。
【００６６】
　１つの実施形態において、前に説明し図１４Ｅに示したように、表示画像部分１４１、１４２、１４３および１４４を４位置「ボックス」パターンでシフトして表示画像１４を生成するように、４つの画像サブフレーム３０’が生成される。そのように、１つの実施形態において、第２の画像サブフレーム３０２’の画像データ１６は、第１の画像サブフレーム３０１’の画像データ１６からある一定の水平距離だけオフセットされ、第３の画像サブフレーム３０３’の画像データ１６は、第２の画像サブフレーム３０２’の画像データ１６からある一定の垂直距離だけオフセットされ、第４の画像サブフレーム３０４’の画像データ１６は、第３の画像サブフレーム３０３’の画像データ１６からある一定の水平距離だけオフセットされ、水平距離と垂直距離は両方ともｎ画素である。したがって、画像サブフレーム３０’は、それぞれの位置Ａ、Ｂ、ＣおよびＤの間でシフトされる。１つの実施形態において、ｎは整数である。もう１つの実施形態において、ｎは、２以上の非整数である。
【００６７】
　１つの実施形態において、図１６に示したように、表示画像部分１４１、１４２、１４３および１４４が４位置「蝶ネクタイ」パターンでシフトされるように、４つの画像サブフレーム３０’が生成される。そのように、１つの実施形態において、第２の画像サブフレーム３０２’の画像データ１６が、第１の画像サブフレーム３０１’の画像データ１６からある一定の水平距離と垂直距離だけオフセットされ、第３の画像サブフレーム３０３’の画像データ１６が、第２の画像サブフレーム３０２’の画像データ１６からある一定の垂直距離だけオフセットされ、第４の画像サブフレーム３０４’の画像データ１６が、第３の画像サブフレーム３０３’の画像データ１６からある一定の水平距離と垂直距離だけオフセットされ、水平距離と垂直距離は両方ともｎ画素である。したがって、画像サブフレーム３０’は、それぞれの位置Ａ、Ｂ、ＣおよびＤの間でシフトされる。１つの実施形態において、ｎは整数である。もう１つの実施形態において、ｎは２以上の非整数である。
【００６８】
　１つの実施形態において、図１７に示したように、表示画像部分１４１、１４２、１４３および１４４が４位置「スクランブル」パターンでシフトされるように、４つの画像サブフレーム３０’が生成される。したがって、１つの実施形態において、第２の画像サブフレーム３０２’の画像データ１６は、第１の画像サブフレーム３０１’の画像データ１６からある一定の水平距離と垂直距離だけオフセットされ、第３の画像サブフレーム３０３’の画像データ１６は、第２の画像サブフレーム３０２’の画像データ１６からある一定の垂直距離だけオフセットされ、第４の画像サブフレーム３０４’の画像データ１６は、第３の画像サブフレーム３０３’の画像データ１６からある一定の水平距離と垂直距離だけオフセットされ、水平距離と垂直距離はそれぞれｎ画素とｍ画素を含む。したがって、画像サブフレーム３０’は、それぞれの位置Ａ、Ｂ、ＣおよびＤの間でシフトされる。１つの実施形態において、ｎとｍは整数でかつ互いに等しくない。もう１つの実施形態において、ｎとｍはそれぞれ、２以上の非整数である。
【００６９】
　１つの実施形態において、第１の画像のために第１の画像フレーム２８が生成され、第２の画像のために第２の画像フレーム２８’が生成される。さらに、１つの実施形態において、第１の画像フレーム２８のために第１組の画像サブフレーム３０’が規定され、第２の画像フレーム２８’のために第２組の画像サブフレーム３０”が規定される。第１組の画像サブフレーム３０’と第２組の画像サブフレーム３０”はそれぞれ、各画像フレームの１つまたは複数のサブフレームを含む。したがって、第１の画像フレーム２８の第１組の表示画像部分は、第１組の画像サブフレーム３０’によって生成され、第２の画像フレーム２８’の第２組の表示画像部分は、第２組の画像サブフレーム３０”によって生成される。１つの実施形態において、１つの画像に第１の画像フレーム２８と第２の画像フレーム２８’が生成される。したがって、画像データ１６からの画像に複数の画像フレームが生成される。
【００７０】
　１つの実施形態において、図１８に示したように、第１の画像フレーム２８の第１組の表示画像部分が、第１のパターンでシフトされ、第２の画像フレーム２８’の第２組の表示画像部分が、第２のパターンでシフトされる。１つの実施形態において、第２のパターンは、第１のパターンからオフセットされる。さらに、第２のパターンは、第１のパターンと同じでも異なってもよい。したがって、第１組の画像サブフレーム３０’を表示するために第１組の表示画素が使用され、第２組の画像サブフレーム３０”を表示するために第２組の表示画素が使用される。
【００７１】
　１つの実施形態において、画像サブフレーム３０’および３０”の各組ごとに、第２の画像サブフレーム３０２’の画像データ１６が、第１の画像サブフレーム３０１’の画像データ１６からある一定の水平距離だけオフセットされ、画像サブフレーム３０’および３０”の各組ごとに、第３の画像サブフレーム３０３’の画像データ１６が、第２の画像サブフレーム３０２’の画像データ１６からある一定の垂直距離だけオフセットされ、画像サブフレーム３０’および３０”の各組ごとに、第４の画像サブフレーム３０４’の画像データ１６が、第３の画像サブフレーム３０３’の画像データ１６からある一定の水平距離だけオフセットされ、この水平距離と垂直距離は両方ともｎ画素である。このように、画像サブフレーム３０’が、それぞれの位置Ａ、Ｂ、ＣおよびＤの間でシフトされ、画像サブフレーム３０”は、それぞれの位置Ｅ、Ｆ、ＧおよびＨの間でシフトされる。１つの実施形態において、ｎは整数である。もう１つの実施形態において、ｎは２以上の非整数である。
【００７２】
　１つの実施形態において、図１９に示したように、表示画像部分１４１および１４２が２位置水平パターンでシフトされるように、２つの画像サブフレーム３０’が生成される。したがって、第２の画像サブフレーム３０２’の画像データ１６は、第１の画像サブフレーム３０１’の画像データ１６からある一定の水平距離だけオフセットされ、この水平距離はｎ画素を含む。このように、画像サブフレーム３０’は、それぞれの位置ＡとＢの間でシフトされる。１つの実施形態において、ｎは整数である。もう１つの実施形態において、ｎは２以上の非整数である。
【００７３】
　１つの実施形態において、図２０に示したように、表示画像部分１４１および１４２が２位置垂直パターンでシフトされるように、２つの画像サブフレーム３０’が生成される。したがって、第２の画像サブフレーム３０２’の画像データ１６は、第１の画像サブフレーム３０１’の画像データ１６からある一定の垂直距離だけオフセットされ、ここで、垂直距離は、ｎ画素を含む。このように、画像サブフレーム３０’は、それぞれの位置ＡとＢの間でシフトされる。１つの実施形態において、ｎは整数である。もう１つの実施形態において、ｎは２以上の非整数である。
【００７４】
　１つの実施形態において、図２１に示したように、表示画像部分１４１および１４２が２位置対角線パターンでシフトされるに、２つの画像サブフレーム３０’が生成される。したがって、第２の画像サブフレーム３０２’の画像データ１６は、第１の画像サブフレーム３０１’の画像データ１６からある一定の水平距離と垂直距離だけオフセットされ、ここで、水平距離と垂直距離はそれぞれｎ画素とｍ画素を含む。このように、画像サブフレーム３０’は、それぞれの位置ＡとＢの間でシフトされる。１つの実施形態において、ｎとｍは整数でかつ互いに等しい。もう１つの実施形態において、ｎとｍは整数でかつ互いに等しくない。もう１つの実施形態において、ｎとｍはそれぞれ２以上の非整数である。
【００７５】
　図２２と図２３は、それぞれ画像表示システム１０による画像処理を行った場合と行わない場合の同じ画像データから生成された拡大画像部分を示す。より具体的には、図２２は、画像表示システム１０による処理を行わずに生成された拡大画像部分を示す。図２２に示したように、拡大画像部分８０は、個々の画素が目に見え易い状態に分解されているように見える。さらに、拡大画像部分８０の解像度は低い。
【００７６】
　図２２に示したように、拡大画像部分８０の２つの画素が、不良表示画素によって生成されている。より具体的には、拡大画像部分８０の１つの画素８０１は、画素８０１に対応する表示画素が「オン」状態だけを表すように白く見える。さらに、拡大画像部分８０のもう１つの画素８０２は、画素８０２に対応する表示画素が「オフ」状態を表すように黒く見える。これらの不良表示画素の影響は、拡大画像部分８０において目立つ。
【００７７】
　一方、図２３は、前述のように、解像度向上とエラー隠蔽を含む画像表示システム１０による処理によって生成された拡大画像部分８２を示す。図２３に示したように、拡大画像部分８２は、図２２の拡大画像部分８０よりも画素に分解されていないように見える。したがって、拡大画像部分８２の画像品質は、画像表示システム１０によって高められている。より具体的には、拡大画像部分８２の解像度は、拡大画像部分８０よりも改善され、あるいは高められている。
【００７８】
　１つの実例となる実施形態において、拡大画像部分８２は、前述のように、第１のサブフレーム、第２のサブフレーム、第３のサブフレーム、および第４のサブフレームを含む４位置処理によって生成されている。したがって、拡大画像部分８２を生成するためには、拡大画像部分８０を生成するために使用される画素データの量の４倍の量の画素データが使用される。したがって、４位置処理によって、拡大画像部分８２の解像度は、拡大画像部分８０の解像度の２倍すなわち４の平方根だけ高められる。さらに、不良表示画素の影響が拡散される。より具体的には、「オン」状態だけを表す表示画素の影響は、４つの画素を含む拡大画像部分８２の領域８２１に分散または拡散され、「オフ」状態だけを表す表示画素の影響は、４つの画素を含む拡大画像部分８２の領域８２２に分散または拡散される。したがって、不良表示画素は、拡大画像部分８２では、拡大画像部分８０ほど目立たない。
【００７９】
　１つの実施形態において、拡大画像部分８２の解像度を高めかつ拡大画像部分８２の不良表示画素の影響を拡散させるために、拡大画像部分８２を生成するために使用されるサブフレームが、互いに少なくともｎ画素オフセットされ、ここで、ｎは、２以上の非整数である。したがって、サブフレーム間の水平距離および／または垂直距離は、少なくともｎ画素を含み、ここで、ｎは、２以上の非整数である。
【００８０】
　１つの実施形態において、画像表示システム１０は、表示装置２６の不良表示画素を補正する。より具体的には、表示装置２６の不良表示画素が識別され、表示画像内の不良表示画素の位置に対応する画像データ１６が調整される。
【００８１】
　例えば、図１５に示したように、表示位置ｂｉｉは、不良表示画素からの寄与を含む。より具体的には、表示画像部分１４１の画素ＶＩは、不良表示画素によって生成される。しかしながら、表示位置ｂｉｉは、表示画像部分１４２の画素ＶＩと、表示画像部分１４３の画素ＶＩと、表示画像部分１４４の画素ＶＩの３つの他の画素からの寄与も含む。したがって、表示位置ｂｉｉは、ＤA＋ＶＩB＋ＶＩC＋ＶＩDによって表現される。
【００８２】
　図１３Ａに示したように、表示画像部分１４１の画素ＶＩは、位置Ｃ３の表示画素によって生成される。したがって、位置Ｃ３の表示画素が不良表示画素として識別された場合は、表示位置ｂｉｉの他の画素の画像データが、この不良表示画素を補正するために調整される。より具体的には、表示画像部分１４２の画素ＶＩの画像データ、表示画像部分１４３の画素ＶＩの画像データ、および／または表示画像部分１４４の画素ＶＩの画像データが、表示画像部分１４１の画素ＶＩを補正するために調整される。
【００８３】
　図１３Ｂ、図１３Ｃおよび図１３Ｄにそれぞれ示したように、表示画像部分１４２の画素ＶＩは、位置Ｃ２の表示画素によって生成され、表示画像部分１４３の画素ＶＩは、位置Ｂ２の表示画素によって生成され、表示画像部分１４４の画素ＶＩは、位置Ｂ３の表示画素によって生成されている。したがって、表示画像部分１４２の画素ＶＩ、表示画像部分１４３の画素ＶＩ、あるいは表示画像部分１４４の画素ＶＩも、位置Ｃ３の不良表示画素による影響を受けない。
【００８４】
　１つの実施形態において、表示装置２６の不良表示画素を補うために、表示画像内の不良表示画素の位置に対応する画像データ１６の輝度が高められおよび／または低くされる。これにより、表示画像内の不良表示画素の影響が小さくなる。表示装置２６の不良表示画素は、ユーザ入力、表示装置２６による自己診断入力または検出、外部データ・ソース、および／または表示装置２６に記憶された情報によって識別される。１つの実施形態において、図１に示したように、表示装置２６の不良表示画素の存在が、画像処理ユニット２４と通信される。
【００８５】
［画像のシフト］
　図２４は、画像表示システム１０の表示装置２６の１つの実施形態を示す。１つの実施形態において、前述のように、表示装置２６は、入射光を変調する光変調器９０を含む。１つの実施形態において、光変調器９０は、マイクロミラー装置のアレイを構成するように配列された複数のマイクロミラー装置を含む。したがって、それぞれのマイクロミラー装置が、表示装置２６の１つのセルまたは画素を構成する。
【００８６】
　１つの実施形態において、図２４に示したように、表示装置２６は、また、光源９２、照明光学系９４、投影光学系９６、および画像シフタ３８を含む。光源９２は、表示装置２６の光を生成し、照明光学系９４は、光を光変調器９０に導く。また、光変調器９０は、光を変調し、投影光学系９６は、光を集め焦点を合わせて表示画像１４を生成する。
【００８７】
　照明光学系９４は、例えば、光路内の光源９２と光変調器９０の間にそれぞれ配置されたカラー・ホイール、ロッドインテグレータ（ｉｎｔｅｇｒａｔｉｎｇ　ｒｏｄ）、および集光光学系を含む。したがって、照明光学系９４は、均一な光を生成し、その光を光変調器９０に導く。光変調器９０は、例えば、照明光学系９４から受け取った光を変調して、画像サブフレーム３０、３０’および／または３０”から表示画像１４を生成する。
【００８８】
　投影光学系９６は、例えば、光変調器９０からの光を屈折させ、反射させおよび／または回折させるために、光路内の光変調器９０の後に配置された１つまたは複数の光学または投影要素を含む。したがって、投影光学系９６は、画像サブフレーム３０、３０’および／または３０”を投影して表示画像１４を形成する。前述のように、画像シフタ３８は、表示画像１４を生成するために画像サブフレーム３０、３０’および／または３０”の表示をシフトする。
【００８９】
　１つの実施形態において、図２４に示したように、画像シフタ３８は、光路内の光変調器９０の後でかつ投影光学系９６の前に配置される。したがって、画像シフタ３８は、投影光学系９６による投影の前に、画像フレーム２８の画像サブフレーム３０、３０’および／または３０”の表示をシフトすることができる。
【００９０】
　図２５は、画像表示システム１０の表示装置のもう１つの実施形態を示す。表示装置２６’は、表示装置２６と類似しており、光変調器９０、光源９２、照明光学系９４、および投影光学系９６を含む。しかしながら、表示装置２６’の場合は、光路内の投影光学系９６の後に画像シフタ３８が配置されている。したがって、画像シフタ３８は、投影光学系９６による投影後に、画像フレーム２８の画像サブフレーム３０、３０’および／または３０”の表示をシフトすることができる。
【００９１】
　図２６は、画像表示システム１０の表示装置のもう１つの実施形態を示す。表示装置２６”は、表示装置２６と類似しており、光変調器９０、光源９２、照明光学系９４、および投影光学系９６を含む。しかしながら、表示装置２６”の場合、画像シフタ３８は、第１の画像シフタ３８１と第２の画像シフタ３８２を含む。
【００９２】
　１つの実施形態において、第１の画像シフタ３８１は、画像サブフレーム３０、３０’および／または３０”の表示を第１の方向にシフトし、第２の画像シフタ３８２は、画像サブフレーム３０、３０’および／または３０”の表示を第２の方向にシフトする。１つの実施形態において、第１の画像シフタ３８１は、光路内の光変調器９０と投影光学系９６の間に配置され、第２の画像シフタ３８２は、光路内の投影光学系９６の後に配置される。したがって、第１の画像シフタ３８１は、画像フレーム２８の画像サブフレーム３０、３０’および／または３０”の表示を、投影光学系９６による投影前にシフトすることができ、第２の画像シフタ３８２は、画像フレーム２８の画像サブフレーム３０、３０’および／または３０”の表示を、投影光学系９６による投影後にシフトすることができる。
【００９３】
　図２７は、画像表示システム１０の表示装置のもう１つの実施形態を示す。表示装置２６”’は、表示装置２６と類似しており、光変調器９０、光源９２、照明光学系９４、および投影光学系９６を含む。１つの実施形態において、投影光学系９６は、第１の投影要素９６１と第２の投影要素９６２を含む。さらに、画像シフタ３８が、光路内の第１の投影要素９６１と第２の投影要素９６２の間に配置されている。したがって、画像シフタ３８は、画像フレーム２８の画像サブフレーム３０、３０’および／または３０”の表示を投影光学系９６から投影している間にシフトすることができる。
【００９４】
　図２８は、表示システム１０の表示装置のもう１つの実施形態を示す。表示装置２６””は、表示装置２６と類似しており、光変調器９０、光源９２、照明光学系９４、および投影光学系９６を含む。１つの実施形態において、投影光学系９６は、第１の投影要素９６１、第２の投影要素９６２、および第３の投影要素９６３を含む。さらに、画像シフタ３８は、投影光学系９６の投影要素を含む。より具体的には、画像シフタ３８は、投影要素９６３によって構成される。そして、画像シフタ３８は、光路内の第１の投影要素９６１と第２の投影要素９６２の間に配置される。画像サブフレーム３０、３０’および／または３０”の表示をシフトすために、ジンバル式ミラーおよび／または投影要素９６３の並進および／または傾斜の組み合わせが利用可能である。こうして、画像シフタ３８は、画像フレーム２８の画像サブフレーム３０、３０’および／または３０”の表示を、投影光学系９６が投影している間にシフトすることができる。
【００９５】
　図２９は、画像表示システム１０の表示装置のもう１つの実施形態を示す。表示装置１２６は、表示装置２６と類似しており、光変調器９０、光源９２、照明光学系９４、および投影光学系９６を含む。しかしながら、表示装置１２６の場合は、画像シフタ３８が、光変調器９０と関連付けられており、光変調器９０を、１つの第１の位置と１つまたは複数の第２の位置の間で移動させて、画像サブフレーム３０、３０’および／または３０”の表示をシフトする。したがって、画像シフタ３８は、光変調器９０が入射光を変調している間に、画像フレーム２８の画像サブフレーム３０、３０’および／または３０”の表示をシフトすることができる。１つの実施形態において、画像シフタ３８は、第１の位置と１つまたは複数の第２の位置の間でシフトを繰り返す。１つの実例となる実施形態において、画像シフタ３８は、約２サイクル／秒以上の割合でシフトを繰り返す。
【００９６】
　図３０Ａと図３０Ｂは、画像シフタ３８の１つの実施形態を示す。画像シフタ３８は、光学要素１００を含む。１つの実施形態において、光学要素１００は、例えば図３０Ａに示した第１の位置と、例えば図３０Ｂに示した第２の位置の間で移動される屈折要素を含む。１つの実施形態において、光学要素１００は、第１の位置と第２の位置を規定するために、図３０Ａと図３０Ｂによって規定された平面に対して垂直に向けられた軸１０１に関して傾けられる。
【００９７】
　１つの実施形態において、光学要素１００が、第１の位置にあるとき、入射光９８は基準経路９８１をたどる。しかしながら、光学要素１００が、第２の位置に移動されたとき、入射光９８はシフトされ、シフト経路９８２をたどる。したがって、入射光９８は、基準経路９８１からシフトされる。このように、光学要素１００は、画像サブフレーム３０、３０’および／または３０”の２位置処理のためのシフトを実現することができる。したがって、光学要素１００は、前に説明したように、入射光９８を、画像サブフレーム３０、３０’および／または３０”を表示する１つまたは複数の位置にシフトする。後で説明するように、本明細書における画像シフタ３８の参考は、画像シフタ１３８、２３８、３３８および／または４３８にも適用可能であることを理解されたい。
【００９８】
　図３１Ａと図３１Ｂは、画像シフタのもう１つの実施形態を示す。画像シフタ１３８は、第１の光学要素として光学要素１００と、第２の光学要素１０２とを含む。１つの実施形態において、前述のように、光学要素１００は、例えば図３１Ａと図３１Ｂに実線で示した第１の位置と、例えば図３１Ａと図３１Ｂに点線で示した第２の位置の間で移動される屈折要素を含む。さらに、光学要素１０２は、例えば図３１Ａと図３１Ｂに点線で示された第１の位置と、例えば図３１Ａと図３１Ｂに実線で示された第２の位置の間で移動される屈折要素を含む。１つの実施形態において、光学要素１００は、図３１Ｂによって規定された平面と平行に向けられた軸１０１に関して傾けられ、光学要素１０２は、図３１Ａによって規定された平面と平行に向けられた軸１０３に関して傾けられ、それぞれの第１の位置とそれぞれの第２の位置が規定される。
【００９９】
　１つの実施形態において、光学要素１００および１０２が、それぞれの第１の位置とそれぞれの第２の位置の間で移動されるとき、入射光９８が、基準経路からシフトされる。１つの実例となる実施形態において、光学要素１００の軸１０１に対する傾きによって、入射光が軸１０１と垂直な方向（例えば、図面に関して上下）にシフトされ、光学要素１０２の軸１０３に対する傾きによって、軸１０３と垂直な方向（例えば、図に関して左右）に入射光がシフトされる。このように、光学要素１００および１０２の組合せによって、画像サブフレーム３０、３０’および／または３０”の２位置および／または４位置処理のシフトならびに他のシフト・パターンを実現することができる。したがって、光学要素１００および１０２は、前述のように、画像サブフレーム３０、３０’および／または３０”を表示するために入射光９８を１つまたは２つの軸内の１つまたは複数の位置間でシフトする。
【０１００】
　図３２は、画像シフタのもう１つの実施形態を示す。画像シフタ２３８は、光学要素１０４を含む。１つの実施形態において、光学要素１０４は、１つまたは２つの軸内の１つまたは複数の位置の間で移動される屈折要素を含む。１つの実施形態において、光学要素１０４は、第１の軸１０５ａに対して１つまたは複数の位置の間で傾けられ、および／または第１の軸１０５ａと実質的に垂直に向けられた第２の軸１０５ｂに対して１つまたは複数の位置の間で傾けられる。
【０１０１】
　１つの実例となる実施形態において、第１の軸１０５ａに対する光学要素１０４の傾きによって、入射光は、軸１０５ａと垂直な方向（例えば、図に関して左右）にシフトされ、第２の軸１０５ｂに対する光学要素１０４の傾きによって、入射光は、軸１０５ｂと垂直な方向（例えば、図に関して上下）にシフトされる。このように、光学要素１０４は、画像サブフレーム３０、３０’および／または３０”の２位置および／または４位置処理のシフトならびに他のシフト・パターンを実現することができる。したがって、光学要素１０４は、前述のように、画像サブフレーム３０、３０’および／または３０”を表示するために、入射光を１つまたは２つの軸内の１つまたは複数の位置にシフトする。第１の軸１０５ａと第２の軸１０５ｂが、光学要素１０４の中心に関して位置決めされているように示されているが、第１の軸１０５ａと第２の軸１０５ｂが、光学要素１０４の中心からずれて配置されている実施形態、四角形の場合に光学要素１０４の角を対角線方向に横切って配置されている実施形態、および楕円の場合に任意の角度で配置されている実施形態も本発明の範囲内である。
【０１０２】
　図３３は、画像シフタのもう１つの実施形態を示す。画像シフタ３３８は、光学要素１０６を含む。１つの実施形態において、光学要素１０６は、例えば点線で示された第１の位置と、例えば実線で示された第２の位置の間で移動される屈折要素を含む。１つの実施形態において、光学要素１０６は、第１の位置と第２の位置を規定するために、入射光９８の光学軸と一致しかつ図３３によって規定された平面と平行に向けられた軸１０７のまわりに回転されている。
【０１０３】
　１つの実施形態において、光学要素１０６が、第１の位置にあるとき、入射光９８は、基準経路９８１をたどる。しかしながら、光学要素１０６が第２の位置に移動されたとき、入射光９８は、移動の大きさに対応する大きさだけシフトされ、シフト経路９８２をたどる。こうして、入射光９８は、基準経路９８１からシフトされる。したがって、光学要素１０６は、ひとつの方向へのシフトを実現することができ、軸１０７に関する回転によって、画像サブフレーム３０、３０’および／または３０”の２位置処理および／または４位置処理が実現される。したがって、光学要素１０６は、前述のように、画像サブフレーム３０、３０’および／または３０”を表示するために入射光９８を１つまたは複数の位置間でシフトする。
【０１０４】
　図３４は、画像シフタのもう１つの実施形態を示す。画像シフタ４３８は、光学要素１０８を含む。１つの実施形態において、光学要素１０８は、例えば実線で示された第１の位置と、例えば点線で示された第２の位置の間で移動される反射要素を含む。１つの実施形態において、光学要素１０８は、ジンバル式である。したがって、光学要素１０８は、画像サブフレーム３０、３０’および／または３０”の２位置処理および／または４位置処理のシフトならびに他のシフト・パターンを実現することができる。もう１つの実施形態において、光学要素１０８は、第１の位置と、第１の位置から離間されかつ実質的に平行な第２の位置の間で並進移動される。
【０１０５】
　１つの実施形態において、光学要素１０８が、第１の位置にあるとき、入射光９８は、第１の方向９８３に反射される。一方、光学要素１０８が、第２の位置に移動されたとき、入射光９８は、第２の方向９８４にシフトされ反射される。そのように、入射光９８は、第１の方向９８３からシフトされる。したがって、光学要素１０８は、前述のように、画像サブフレーム３０、３０’および／または３０”を表示するために入射光９８を１つまたは複数の位置の間でシフトする。
【０１０６】
　図３５は、光変調器９０をシフトする画像シフタ３８の１つの実施形態を示す。画像シフタ３８は、光変調器９０を１つまたは複数の位置の間で移動させる。１つの実施形態において、光変調器９０は、第１の軸９０ａのまわりの１つまたは複数の位置間で傾けられおよび／または第１の軸９０ａと実質的に垂直に向けられた第２の軸９０ｂのまわりの１つまたは複数の位置の間で傾けられる。もう１つの実施形態において、光変調器９０は、Ｘ方向とＹ方向にシフトされる。
【０１０７】
　１つの実例となる実施形態において、第１の軸９０ａに対する光変調器９０の傾きにより、入射光は、軸９０ａと垂直な方向（例えば、図に関して左右）にシフトされ、第２の軸９０ｂに対する光変調器９０の傾きにより、入射光が、軸９０ｂと垂直な方向（例えば、図に関して上下）にシフトされる。このように、画像シフタ３８は、画像サブフレーム３０、３０’および／または３０”の２位置処理および／または４位置処理のために光変調器９０のシフトを実現することができる。したがって、光変調器９０は、前述のように、画像サブフレーム３０、３０’および／または３０”を表示するために１つまたは複数の位置の間でシフトされる。
【０１０８】
　表示装置２６に画像シフタ３８（画像シフタ１３８、２３８、３３８および４３８を含む）を設けることによって、画像サブフレーム３０、３０’および／または３０”の表示画像を、１つまたは複数の位置の間でシフトすることができる。前述のように、それぞれのサブフレームの表示画像のシフトは、それぞれのサブフレームの表示と同期される。
【０１０９】
　本明細書において、好ましい実施形態を説明するために、特定の実施形態を示し説明したが、本発明の範囲を逸脱することなく、同じ目的を達成するように設計された様々な代替および／または等価な実施態様を、示し説明した特定の実施形態に代用することができることを、当業者は理解されよう。光学、化学、機械、電気機械、電気、およびコンピュータの業界の熟練者は、本発明をきわめて様々な実施形態で実施できることを容易に理解するであろう。本出願は、本明細書で説明した好ましい実施形態の任意の適用または変形をカバーするように意図されている。したがって、本発明は、特許請求の範囲とその等価物のみにより限定されるように意図されていることは明らかである。
【図面の簡単な説明】
【０１１０】
【図１】画像表示システムの１つの実施形態を示すブロック図である。
【図２Ａ】本発明による画像のフレームを処理し表示する１つの実施形態の概略図である。
【図２Ｂ】本発明による画像のフレームを処理し表示する１つの実施形態の概略図である。
【図２Ｃ】本発明による画像のフレームを処理し表示する１つの実施形態の概略図である。
【図３Ａ】本発明による画像表示システムによって画素を表示する１つの実施形態の概略図である。
【図３Ｂ】本発明による画像表示システムによって画素を表示する１つの実施形態の概略図である。
【図３Ｃ】本発明による画像表示システムによって画素を表示する１つの実施形態の概略図である。
【図４】本発明による画像表示システムで処理せずに生成された拡大画像部分の１つの実施形態のシミュレーションの図である。
【図５】本発明による画像表示システムで処理して生成された拡大画像部分の１つの実施形態のシミュレーションの図である。
【図６Ａ】本発明による画像のフレームを処理し表示するもう１つの実施形態の概略図である。
【図６Ｂ】本発明による画像のフレームを処理し表示するもう１つの実施形態の概略図である。
【図６Ｃ】本発明による画像のフレームを処理し表示するもう１つの実施形態の概略図である。
【図６Ｄ】本発明による画像のフレームを処理し表示するもう１つの実施形態の概略図である。
【図６Ｅ】本発明による画像のフレームを処理し表示するもう１つの実施形態の概略図である。
【図７Ａ】本発明による画像表示システムによって画素を表示する１つの実施形態の概略図である。
【図７Ｂ】本発明による画像表示システムによって画素を表示する１つの実施形態の概略図である。
【図７Ｃ】本発明による画像表示システムによって画素を表示する１つの実施形態の概略図である。
【図７Ｄ】本発明による画像表示システムによって画素を表示する１つの実施形態の概略図である。
【図７Ｅ】本発明による画像表示システムによって画素を表示する１つの実施形態の概略図である。
【図８】本発明による画像表示システムで処理せずに生成された拡大画像部分のもう１つの実施形態のシミュレーションの図である。
【図９】本発明による画像表示システムで処理して生成された拡大画像部分のもう１つの実施形態のシミュレーションの図である。
【図１０】本発明による表示装置の表示画素の１つの実施形態の概略図である。
【図１１】本発明による画像フレームの画像データの１つの実施形態の概略図である。
【図１２Ａ】図１１の画像フレームの画像サブフレームの１つの実施形態の概略図である。
【図１２Ｂ】図１１の画像フレームの画像サブフレームの１つの実施形態の概略図である。
【図１２Ｃ】図１１の画像フレームの画像サブフレームの１つの実施形態の概略図である。
【図１２Ｄ】図１１の画像フレームの画像サブフレームの１つの実施形態の概略図である。
【図１３Ａ】図１２Ａの画像サブフレームによって生成された図１１の画像フレームの表示画像部分の１つの実施形態の概略図である。
【図１３Ｂ】図１２Ｂの画像サブフレームによって生成された図１１の画像フレームの表示画像部分の１つの実施形態の概略図である。
【図１３Ｃ】図１２Ｃの画像サブフレームによって生成された図１１の画像フレームの表示画像部分の１つの実施形態の概略図である。
【図１３Ｄ】図１２Ｄの画像サブフレームによって生成された図１１の画像フレームの表示画像部分の１つの実施形態の概略図である。
【図１４Ａ】図１３Ａの表示画像部分の表示の１つの実施形態の概略図である。
【図１４Ｂ】図１３Ｂの表示画像部分の表示の１つの実施形態の概略図である。
【図１４Ｃ】図１３Ｃの表示画像部分の表示の１つの実施形態の概略図である。
【図１４Ｄ】図１３Ｄの表示画像部分の表示の１つの実施形態の概略図である。
【図１４Ｅ】図１４Ａ〜図１４Ｄの表示画像部分をシフトする１つの実施形態の概略図である。
【図１５】本発明による画像表示システムによる図１１の画像フレームの画像データの表示の１つの実施形態の概略図である。
【図１６】本発明による画像表示システムによって生成された表示画像の表示画像部分をシフトするもう１つの実施形態の概略図である。
【図１７】本発明による画像表示システムによって生成された表示画像の表示画像部分をシフトするもう１つの実施形態の概略図である。
【図１８】本発明による画像表示システムによって生成された表示画像の表示画像部分をシフトするもう１つの実施形態の概略図である。
【図１９】本発明による画像表示システムによって生成された表示画像の表示画像部分をシフトするもう１つの実施形態の概略図である。
【図２０】本発明による画像表示システムによって生成された表示画像の表示画像部分をシフトするもう１つの実施形態の概略図である。
【図２１】本発明による画像表示システムによって生成された表示画像の表示画像部分をシフトするもう１つの実施形態の概略図である。
【図２２】本発明による画像表示システムで処理せずに生成された拡大画像部分の１つの実施形態のシミュレーションの図である。
【図２３】本発明による解像度向上とエラー隠蔽を含む画像表示システムで処理して生成された拡大画像部分の１つの実施形態のシミュレーションの図である。
【図２４】本発明による画像シフタの１つの実施形態を含む表示装置の１つの実施形態の概略図である。
【図２５】本発明による画像シフタのもう１つの実施形態を含む表示装置のもう１つの実施形態の概略図である。
【図２６】本発明による画像シフタのもう１つの実施形態を含む表示装置のもう１つの実施形態の概略図である。
【図２７】本発明による画像シフタのもう１つの実施形態を含む表示装置のもう１つの実施形態の概略図である。
【図２８】本発明による画像シフタのもう１つの実施形態を含む表示装置のもう１つの実施形態の概略図である。
【図２９】本発明による画像シフタのもう１つの実施形態を含む表示装置のもう１つの実施形態の概略図である。
【図３０Ａ】本発明による第１の位置の画像シフタの１つの実施形態の概略図である。
【図３０Ｂ】第２の位置にある図３０Ａのシフタの概略図である。
【図３１Ａ】本発明による画像シフタのもう１つの実施形態の側面の概略図である。
【図３１Ｂ】図３１Ａの画像シフタの上部概略図である。
【図３２】本発明による画像シフタのもう１つの実施形態の概略図である。
【図３３】本発明による画像シフタのもう１つの実施形態の概略図である。
【図３４】本発明による画像シフタのもう１つの実施形態の概略図である。
【図３５】本発明による光変調器をシフトする画像シフタの１つの実施形態の概略図である。
【符号の説明】
【０１１１】
１２　画像
１６　画像データ
２２　バッファ
２４　画像処理ユニット
２６　表示装置
２８　フレーム
３８　画像シフタ
５６　投影光学系
９０　光変調器
９６　投影光学系
１００、１０２、１０４、１０６、１０８　光学要素
３０１　第１のサブフレーム
３０２　第２のサブフレーム
３９１　第１のサブフレーム
９６１　第１の投影要素
９６２　第２の投影要素
９６３　投影要素
【図１】
2004070365.tif 000003
【図２Ａ】
2004070365.tif 000004
【図２Ｂ】
2004070365.tif 000005
【図２Ｃ】
2004070365.tif 000006
【図３Ａ】
2004070365.tif 000007
【図３Ｂ】
2004070365.tif 000008
【図３Ｃ】
2004070365.tif 000009
【図４】
2004070365.tif 000010
【図５】
2004070365.tif 000011
【図６Ａ】
2004070365.tif 000012
【図６Ｂ】
2004070365.tif 000013
【図６Ｃ】
2004070365.tif 000014
【図６Ｄ】
2004070365.tif 000015
【図６Ｅ】
2004070365.tif 000016
【図７Ａ】
2004070365.tif 000017
【図７Ｂ】
2004070365.tif 000018
【図７Ｃ】
2004070365.tif 000019
【図７Ｄ】
2004070365.tif 000020
【図７Ｅ】
2004070365.tif 000021
【図８】
2004070365.tif 000022
【図９】
2004070365.tif 000023
【図１０】
2004070365.tif 000024
【図１１】
2004070365.tif 000025
【図１２Ａ】
2004070365.tif 000026
【図１２Ｂ】
2004070365.tif 000027
【図１２Ｃ】
2004070365.tif 000028
【図１２Ｄ】
2004070365.tif 000029
【図１３Ａ】
2004070365.tif 000030
【図１３Ｂ】
2004070365.tif 000031
【図１３Ｃ】
2004070365.tif 000032
【図１３Ｄ】
2004070365.tif 000033
【図１４Ａ】
2004070365.tif 000034
【図１４Ｂ】
2004070365.tif 000035
【図１４Ｃ】
2004070365.tif 000036
【図１４Ｄ】
2004070365.tif 000037
【図１４Ｅ】
2004070365.tif 000038
【図１５】
2004070365.tif 000039
【図１６】
2004070365.tif 000040
【図１７】
2004070365.tif 000041
【図１８】
2004070365.tif 000042
【図１９】
2004070365.tif 000043
【図２０】
2004070365.tif 000044
【図２１】
2004070365.tif 000045
【図２２】
2004070365.tif 000046
【図２３】
2004070365.tif 000047
【図２４】
2004070365.tif 000048
【図２５】
2004070365.tif 000049
【図２６】
2004070365.tif 000050
【図２７】
2004070365.tif 000051
【図２８】
2004070365.tif 000052
【図２９】
2004070365.tif 000053
【図３０Ａ】
2004070365.tif 000054
【図３０Ｂ】
2004070365.tif 000055
【図３１Ａ】
2004070365.tif 000056
【図３１Ｂ】
2004070365.tif 000057
【図３２】
2004070365.tif 000058
【図３３】
2004070365.tif 000059
【図３４】
2004070365.tif 000060
【図３５】
2004070365.tif 000061